(57)【要約】
【課題】　開封及び封緘作業の効率が高い包装箱を提供する。
【解決手段】　包装箱１の上蓋部１０は、第１〜第４上フラップＦｏ１〜Ｆｏ４で構成される。そして、この包装箱１では、隣接し合う位置関係にある第１〜第４上フラップＦｏ１〜Ｆｏ４の各々をＦｏ１〜Ｆｏ４の順に折り曲げ、第４上フラップＦｏ４にて第１上フラップＦｏ１と重なる部分を、第１上フラップＦｏ１よりも包装箱１の中側へ入れることで上蓋部１０が構成されるが、特に、第１上フラップＦｏ１には折目Ｔ１が形成され、第４上フラップＦｏ４の第１上フラップＦｏ１側の辺Ｌ９と第１側壁部Ｓ１の上辺Ｌｏ１との成す角θＡは、鋭角で且つ９０度から折目Ｔ１と第１側壁部の上辺Ｌｏ１との成す角θＢを引いた角度よりも大きくなっている。このため開封及び封緘作業を容易に実施できる。
【選択図】　図１
0003100554.tif 000002
【実用新案登録請求の範囲】
【請求項１】
　四角の第１〜第４側壁部、底部、および上蓋部からなる略直方体の箱であり、
　前記上蓋部が、前記第１〜第４側壁部の各上辺に連接された第１〜第４上フラップによって形成されると共に、
　隣接し合う位置関係にある前記第１〜第４上フラップの各々が、時計回り又は反時計回りに、前記第１〜第４側壁部の各上辺で当該箱の中側方向へ、その第１〜第４上フラップの順に折り曲げられ、
　更に、最後に折り曲げられる第４上フラップにて、最初に折り曲げられた第１上フラップと重なる部分が、前記第１上フラップよりも当該箱の中側へ入れられることで、前記上蓋部が構成される包装箱において、
　前記第１上フラップには、
　前記第４上フラップの前記部分が当該第１上フラップよりも当該箱の中側へ入れられる際に、当該第１上フラップにて前記第４上フラップと重なる部分の一部を当該箱の外側へ折り曲げるための折目が予め形成されており、
　前記第４上フラップにて前記第１上フラップ側の辺と前記第４側壁部の上辺との成す角が、鋭角で且つ９０度から前記折目と前記第１側壁部の上辺との成す角を引いた角度よりも大きいこと、
　を特徴とする包装箱。
【請求項２】
　請求項１に記載の包装箱において、
　前記第１上フラップには、前記折目を境にして当該箱の外側へ折り曲げられる部分に、指掛け穴が設けられていること、
　を特徴とする包装箱。
【請求項３】
　請求項１又は請求項２に記載の包装箱において、
　前記第４上フラップには、当該第４上フラップにて前記第４側壁部の上辺と対向する辺の部分に、手を掛けるための切り込み部が設けられていること、
　を特徴とする包装箱。
【請求項４】
　請求項１ないし請求項３の何れか１項に記載の包装箱において、
　前記底部は、前記第１〜第４側壁部の各下辺に連接された第１〜第４下フラップによって形成されると共に、
　前記各下フラップは、
　前記第１〜第４側壁部のうちで当該下フラップが連接する側壁部（以下、自己連接側壁部という）の下辺に平行な辺と、前記自己連接側壁部の下辺との成す角が鋭角である辺（以下、傾斜側辺という）とを有しており、
　更に、前記傾斜側辺は、前記第１〜第４側壁部の下辺を一直線上に並べた際に当該第１〜第４下フラップの各々にて同一側にあること、
　を特徴とする包装箱。
【請求項５】
　四角の第１〜第４側壁部、底部、および上蓋部からなる略直方体の箱であると共に、前記上蓋部が、前記第１〜第４側壁部の各上辺に連接された第１〜第４上フラップからなる包装箱であって、
　前記各上フラップは、
　前記第１〜第４側壁部のうちで当該上フラップが連接する側壁部（以下、自己連接側壁部という）の上辺に平行な辺と、前記自己連接側壁部の上辺との成す角が鋭角である辺（以下、傾斜側辺という）とを有しており、
　更に、前記傾斜側辺は、前記第１〜第４側壁部の上辺を一直線上に並べた際に当該第１〜第４上フラップの各々にて同一側にあること、
　を特徴とする包装箱。
【請求項６】
　四角の第１〜第４側壁部、底部、および上蓋部からなる略直方体の箱であり、
　前記上蓋部が、前記第１〜第４側壁部の各上辺に連接された第１〜第４上フラップによって形成されると共に、
　前記第１〜第４上フラップのうち、向かい合う位置関係にある第１、第３上フラップが、前記第１、第３側壁部の各上辺で当該箱の中側方向へ折り曲げられてから、残る第２、第４上フラップが、前記第２、第４側壁部の各上辺で当該箱の中側方向へ折り曲げられることで、前記上蓋部が構成される包装箱において、
　前記第１〜第４上フラップのうち、少なくとも第２、第４上フラップが略四角形状に形成されており、
　前記第１上フラップには、前記第２上フラップの前記第２側壁部側とは反対側の両角部のうちの一方が挿入される第１スリットと、前記第４上フラップの前記第４側壁部側とは反対側の両角部のうちの一方が挿入される第２スリットとが設けられていると共に、
　前記第３上フラップには、前記第２上フラップの前記両角部のうちの他方が挿入される第３スリットと、前記第４上フラップの前記両角部のうちの他方が挿入される第４スリットとが設けられていること、
　を特徴とする包装箱。
【請求項７】
　請求項６に記載の包装箱において、
　前記第２上フラップには、前記第２側壁部の上辺に平行な第１折目が形成されており、
　前記第４上フラップには、前記第４側壁部の上辺に平行な第２折目が形成されていること、
　を特徴とする包装箱。
【請求項８】
　請求項６又は請求項７に記載の包装箱において、
　前記底部は、前記第１〜第４側壁部の各下辺に連接された第１〜第４下フラップによって形成されると共に、
　前記第１〜第４下フラップのうち、向かい合う位置関係にある前記第１、第３下フラップの各々は、前記第１、第３側壁部の各下辺を底側とした凸型形状に形成され、残る第２、第４下フラップの各々は、前記第２、第４側壁部の各下辺から徐々に幅が狭くなる第１部分と、その第１部分の先端に連接し、該先端よりも幅が広い第２部分とによって形成されており、
　前記第１、第３下フラップが、前記第１、第３側壁部の各下辺で当該箱の中側へ折り曲げられてから、前記第２、第４下フラップが、前記第２、第４側壁部の各下辺で当該箱の中側方向へ、その第２部分が前記第１、第３下フラップよりも当該箱の中側に至るまで折り曲げられることで、前記第２、第４下フラップの前記第２部分が、前記第１、第３下フラップよりも当該箱の中側へ入り込むと共に、前記第１、第３下フラップにて前記第２、第４下フラップの前記第１部分と重なる部分が、その第１部分よりも当該箱の中側になることにより、当該箱の底部が構成されること、
　を特徴とする包装箱。
【請求項９】
　請求項１ないし請求項８の何れか１項に記載の包装箱において、
　材質が段ボール紙であることを特徴とする包装箱。
【考案の詳細な説明】
【技術分野】
【０００１】
　本考案は、包装箱に関する。
【背景技術】
【０００２】
　従来より、４つの四角の側壁部、底部、および上蓋部からなる略直方体のダンボール製の包装箱が知られており、その上蓋部は、４つの側壁部の各上辺に連接された４つの上フラップによって形成されている。
【０００３】
　そして、この種の包装箱としては、以下のようなものがある。
（１）まず、４つの上フラップが長方形に形成された包装箱であって、その上フラップの各々が、時計回り又は反時計回りの順に側壁部の各上辺で箱の中側方向へ折り曲げられ、更に、最後に折り曲げられた上フラップにて、最初に折り曲げられた上フラップと重なる四角の部分が、最初に折り曲げられた上フラップよりも箱の中側へ入れられることにより、上蓋部が構成されるものが知られている。
（２）また、４つの上フラップのうち、互いに向かい合う一組の上フラップの各々に、帯状で一対の係合片が設けられ、他の一組の上フラップの各々に、上記係合片が挿入されるスリットが設けられた包装箱もある。即ち、この包装箱では、向かい合う一組の上フラップの各々が、長方形ではなく、側壁部の上辺に対向する辺の両端付近から帯状の係合片がそれぞれ突設された形状になっている。また、他の一組の上フラップの各々には、その上フラップが連接する側壁部の上辺に対し垂直で且つ長方形のスリットが２つずつ設けられている。そして、この包装箱では、まず、上記スリットの設けられた上フラップが側壁部の上辺で箱の中側方向へ折り曲げられる。次いで、上記係合片の設けられた上フラップが同様に折り曲げられると共に、その各上フラップに設けられた係合片の各々が、先に折り曲げられている上フラップのスリットのうち、その係合片に対応したスリットにそれぞれ挿入されることにより、上蓋部が構成される（例えば、特開２００１−１８９５２号公報）。
【考案の開示】
【考案が解決しようとする課題】
【０００４】
　しかし、上記（１）の包装箱では、最後に折り曲げる上フラップを、最初に折り曲げる上フラップよりも箱の中側へ入れる際に、その両上フラップの重なる部分が予期せぬところで曲がってしまったり破れてしまう虞がある。従って、封緘作業を慎重に行う必要があり、その作業に手間がかかるという問題があった。また、開封する場合においても、同様の問題があった。
【０００５】
　一方、上記（２）の包装箱では、封緘作業を行う際に、２つの各上フラップに突設された一対の係合片を他の上フラップのスリットに注意深く意識して挿入しなければならないため、やはり、その封緘作業に手間がかかってしまう。また、開封作業を行う際においても、スリットから係合片を注意して抜き出さなければならないため、手間がかかってしまう。
【０００６】
　本考案は、上記問題を解決するためになされたものであり、その目的は、従来品よりも開封及び封緘作業の効率が高い包装箱を提供することにある。
【課題を解決するための手段】
【０００７】
　上記目的を達成するためになされた請求項１に記載の包装箱は、四角の第１〜第４側壁部、底部、および上蓋部からなる略直方体の箱である。そして、この包装箱では、上蓋部が第１〜第４側壁部の各上辺に連接された第１〜第４上フラップによって形成される。そして更に、隣接し合う位置関係にある第１〜第４上フラップの各々が、時計回り又は反時計回りに、第１〜第４側壁部の各上辺で当該包装箱の中側方向へ、その第１〜第４上フラップの順に折り曲げられ、最後に折り曲げられる第４上フラップにて、最初に折り曲げられた第１上フラップと重なる部分が、その第１上フラップよりも当該包装箱の中側へ入れられることで、上蓋部が構成される。
【０００８】
　そして特に、この包装箱では、第１上フラップに、第４上フラップの前記部分（即ち、第４上フラップにて第１上フラップと重なる部分）が当該第１上フラップよりも当該包装箱の中側へ入れられる際に、当該第１上フラップにて第４上フラップと重なる部分の一部を当該包装箱の外側へ折り曲げるための折目が予め形成されている。
【０００９】
　更に、第４上フラップにて第１上フラップ側の辺と第４側壁部の上辺との成す角度θｘが、鋭角で且つ９０度から前記折目と第１側壁部の上辺との成す角を引いた角度よりも大きい。
【００１０】
　この包装箱では、最後に第４上フラップを折り曲げる際に、第１上フラップを折目にて当該包装箱の外側へ折り曲げてから、第４上フラップを第１上フラップよりも当該包装箱の中側へ入れることで上蓋部を構成することができる。そして、このように第１上フラップを折目にて当該包装箱の外側へ折り曲げることと、第４上フラップの前記角度θｘが鋭角であることとにより、第４上フラップにて第１上フラップと重なる部分（即ち、第１上フラップを前記折目で当該包装箱の外側へ折り曲げた際に、第４上フラップにて第１上フラップよりも当該包装箱の中側へ入れられる部分）の面積は、上蓋部を閉じる封緘作業時において、上記（１）の包装箱の場合よりも格段に小さくなる。
【００１１】
　このため請求項１の包装箱によれば、第１、第４上フラップに損傷を与えることなく、容易に第４上フラップを第１上フラップよりも当該包装箱の中側へ入れることができ、その結果、上蓋部を閉じる封緘作業を簡単にすることができる。
【００１２】
　一方、この包装箱の開封作業は、以下の手順にて行うことができる。
　まず、前述の手順で閉じられた上蓋部のうちの第１上フラップを前記折目にて当該包装箱の外側へ折り曲げる。次いで、第４上フラップにて第１上フラップと重なっている部分（即ち、第１上フラップを前記折目で当該包装箱の外側へ折り曲げた際に、第４上フラップにて第１上フラップよりも当該包装箱の中側へ入れられた部分）を第１上フラップよりも当該包装箱の外側へ抜き出すと同時に、該第４上フラップを第４側壁部の上辺で当該包装箱の外側へ折り曲げる。ここでも、第１上フラップが折目にて当該包装箱の外側へ折り曲げられることと第４上フラップの前記角度θｘが鋭角であることとにより、第４上フラップにて第１上フラップと重なる部分（即ち、第１上フラップを前記折目で当該包装箱の外側へ折り曲げた際に、第４上フラップにて第１上フラップよりも当該包装箱の中側へ入れられた部分）の面積は、上記（１）の包装箱の場合よりも格段に小さくなる。従って、第１、第４上フラップに損傷を与えることなく、簡単に第４上フラップを第１上フラップよりも当該包装箱の外側へ抜き出すことができる。尚、その後は、封緘作業とは逆の順番に、残りの上フラップをその側壁部の上辺で当該包装箱の外側へ折り曲げることで開封することができる。
【００１３】
　以上のように、第１、第４上フラップに損傷を与えることなく、簡単に第４上フラップを当該包装箱の外側へ抜き出すことができるので、上蓋部を開く開封作業も容易に実施することができる。
【００１４】
　ところで、請求項１の包装箱において請求項２に記載の如く、第１上フラップにて、折目を境にして当該包装箱の外側へ折り曲げられる部分（以下、折り曲げ部分という）に、指掛け穴が設けられていれば、封緘及び開封作業の際に、その指掛け穴に指を掛けて、前記折り曲げ部分を簡単に折り曲げることが可能となる。よって、封緘及び開封作業を更に容易に行うことができる。
【００１５】
　また、請求項１、２の包装箱において請求項３に記載のように、第４上フラップに、その上フラップにて側壁部の上辺と対向する辺の部分に、手を掛けるための切り込み部が設けられていれば、開封作業の際に、その切り込み部に手を掛けて、第４上フラップにて第１上フラップと重なる部分を第１上フラップから抜き出すことが容易にできる。
【００１６】
　一方、請求項４に記載の包装箱では、請求項１〜３の包装箱において、底部が、第１〜第４側壁部の各下辺に連接された第１〜第４下フラップによって形成される。なおかつ、その各下フラップは、当該下フラップが連接する側壁部（以下、自己連接側壁部という）の下辺に平行な辺と、前記自己連接側壁部の下辺との成す角が鋭角である辺（以下、Ａ傾斜側辺という）とを有しており、更に、前記Ａ傾斜側辺は、第１〜第４側壁部の下辺を一直線上に並べた際に、その下フラップの各々にて同一側にある。
【００１７】
　この包装箱によれば、以下の手順で底部を構成することができる。
　まず、下フラップの各々を、その下フラップの前記Ａ傾斜側辺とそのＡ傾斜側辺の方に隣接する他の下フラップにて当該包装箱の中側となる面とが当接するまで、側壁部の各下辺で当該包装箱の中側方向へ折り曲げる。次いで、第１〜第４下フラップを当該包装箱の中側方向へ押すことで、各下フラップのＡ傾斜側辺付近の部分が、その下フラップのＡ傾斜側辺の方に隣接する他の下フラップよりも当該包装箱の中側となる底部が構成される。
【００１８】
　また、このような手順で閉じられた底部は、下フラップの何れか１つを側壁部の下辺で当該包装箱の外側へ折り曲げるだけで、各下フラップ同士の係合を解除して開放することができる。
【００１９】
　よって、このような請求項４の包装箱によれば、箱型状への組み立て（作成）及び解体作業までも容易にすることができる。
　次に、請求項５に記載の包装箱は、四角の第１〜第４側壁部、底部、および上蓋部からなる略直方体の箱である。そして、この包装箱の上蓋部は、第１〜第４側壁部の各上辺に連接された第１〜第４上フラップから形成される。ここで特に、その各上フラップは、その上フラップが連接する側壁部（以下、自己連接側壁部という）の上辺に平行な辺と、前記自己連接側壁部の上辺との成す角が鋭角である辺（以下、Ｂ傾斜側辺という）とを有しており、更に、前記Ｂ傾斜側辺は、第１〜第４側壁部の上辺を一直線上に並べた際に、その上フラップの各々にて同一側にある。
【００２０】
　この包装箱によれば、以下の手順により、封緘することができる。
　まず、上フラップの各々を、その上フラップの前記Ｂ傾斜側辺とそのＢ傾斜側辺の方に隣接する他の上フラップにて当該包装箱の中側となる面とが当接するまで、側壁部の各上辺で当該包装箱の中側方向へ折り曲げる。次いで、第１〜第４上フラップを当該包装箱の中側方向へ押すだけで、各上フラップのＢ傾斜側辺付近の部分が、その上フラップのＢ傾斜側辺の方に隣接する他の上フラップよりも当該包装箱の中側となる上蓋部が構成される。
【００２１】
　従って、４つの上フラップに損傷を与えることなく、上フラップのＢ傾斜側辺付近の部分が、その上フラップのＢ傾斜側辺の方に隣接する他の上フラップよりも当該包装箱の中側にすることが可能となるため、容易に封緘作業を行うことができる。
【００２２】
　また、前述の手順で閉じられた上蓋部は、上フラップの何れか１つを側壁部の上辺で当該包装箱の外側へ折り曲げるだけで、各上フラップ同士の係合を解除して、簡単に開封することができる。
【００２３】
　次に、請求項６に記載の包装箱は、四角の第１〜第４側壁部、底部、および上蓋部からなる略直方体の箱である。そして、この包装箱の上蓋部は、第１〜第４側壁部の各上辺に連接された第１〜第４上フラップによって形成される。更に、向かい合う位置関係にある第１、第３上フラップが、第１、第３側壁部の各上辺で当該包装箱の中側方向へ折り曲げられてから、残る第２、第４上フラップが、第２、第４側壁部の各上辺で当該包装箱の中側方向へ折り曲げられることで、上蓋部が構成される。
【００２４】
　ここで特に、第１〜第４上フラップのうち、少なくとも第２、第４上フラップが略四角形状に形成されている。また、第１上フラップに、第２上フラップの第２側壁部側とは反対側の両角部のうちの一方が挿入される第１スリットと、第４上フラップの第４側壁部側とは反対側の両角部のうちの一方が挿入される第２スリットとが設けられていると共に、第３上フラップに、第２上フラップの前記両角部のうちの他方が挿入される第３スリットと、第４上フラップの前記両角部のうちの他方が挿入される第４スリットとが設けられている。
【００２５】
　この包装箱によれば、第２、第４上フラップの前記両角部の各々を、第１、第４上フラップに形成された第１〜第４スリットの各々に挿入することで、封緘することができる。
　逆に、前記スリットの各々に挿入された両角部の各々をスリットから抜き出すことで、開封することができる。
【００２６】
　この包装箱は、上記（２）の包装箱とは異なり、互いに向き合う一組の上フラップのいずれにも上記係合片が存在しない。つまり、開封及び封緘作業を行う際に、突設した部分を意識しなくてもよい。従って、封緘及び開封作業を容易に且つ迅速に実施することができる。
【００２７】
　ところで、請求項６の包装箱において、請求項７に記載のように、第２上フラップには、第２側壁部の上辺に平行な第１折目が形成され、第４上フラップには、前記第４側壁部の上辺に平行な第２折目が形成されていれば、第２、第４上フラップを前記第１、第２折目で山状に折り曲げてから、前記両角部をスリットに挿入することができる。また、両角部をスリットから抜き出す際に、第２、第４上フラップを前記第１、第２折目で山状に折り曲げるだけで、その抜き出し作業を行うことできる。
【００２８】
　従って、請求項７の包装箱によれば、更に、封緘及び開封作業を容易に実施することができる。
　一方、請求項８に記載の包装箱では、請求項６、７の包装箱において、底部が第１〜第４側壁部の各下辺に連接された第１〜第４下フラップによって形成される。そして、向かい合う位置関係にある第１、第３下フラップの各々は、第１、第３側壁部の各下辺を底側とした凸型形状に形成され、残る第２、第４下フラップの各々は、第２、第４側壁部の各下辺から徐々に幅が狭くなる第１部分と、その第１部分の先端に連接し、該先端よりも幅が広い第２部分とによって形成されている。
【００２９】
　そして更に、この包装箱では、第１、第３下フラップが、第１、第３側壁部の各下辺で当該包装箱の中側へ折り曲げられてから、第２、第４下フラップが、第２、第４側壁部の各下辺で同様に、その第２部分が第１、第３下フラップよりも当該包装箱の中側に至るまで折り曲げられることで、第２、第４下フラップの第２部分が、第１、第３下フラップよりも当該包装箱の中側へ入り込むと共に、第１、第３下フラップにて第２、第４下フラップの第１部分と重なる部分が、その第１部分よりも当該包装箱の中側になることにより、底部が構成される。
【００３０】
　この包装箱によれば、第１、第３下フラップを、第１、第３側壁部の各下辺で当該包装箱の中側へ折り曲げてから、第２、第４下フラップを第２、第４側壁部の各下辺で同様に、その第２部分が第１、第３下フラップよりも当該包装箱の中側に至るまで折り曲げるといった手順だけで、底部を作成することができる。
【００３１】
　また、このような手順で作成した底部の第１、第３下フラップを、第２、第４下フラップの第２部分よりも当該包装箱の中側へ押し込むだけで、その第２部分が第１、第３下フラップよりも当該包装箱の外側となるため、各下フラップ同士の係合を解除して開放することができる。
【００３２】
　以上のことから、請求項８の包装箱によれば、箱型状への組み立て（作成）及び解体作業までも簡単に行うことができる。
　ところで、請求項１〜８の包装箱において、請求項９に記載のように、材質が段ボール紙であれば、重量を軽くすることができると共に、充分な強度を確保することができる。また、包装箱自体を安価に製造しやすいという利点もある。
【考案を実施するための最良の形態】
【００３３】
　以下、本考案が適用された実施形態の包装箱について、図面を用いて説明する。
　〔第１実施例〕
　まず、図１は本考案（請求項１〜４）が適用された第１実施例の包装箱１の組立状態における斜視図であり、同図（Ａ）は上蓋部１０を上側、同図（Ｂ）は下側（つまり、底部１１を上側）としている。また、図２は、同包装箱１の展開状態における平面図である。
【００３４】
　包装箱１は、段ボール製のシート材からなり、図２に示すような形状に裁断されている。そして、破線で示す箇所は、折り曲げやすいように折目が設けられている。尚、段ボールの目方向は、図２中に示したとおり、組立状態において上下方向となる方向とされている。また、以下の説明において、上下左右縦横等、方向に関する表現は、図２における方向である。
【００３５】
　裁断された包装箱１は、長方形の第１〜第４側壁部Ｓ１、Ｓ２、Ｓ３、Ｓ４と、第１〜第４側壁部Ｓ１〜Ｓ４の各上辺Ｌｏ１、Ｌｏ２、Ｌｏ３、Ｌｏ４に連接されている第１〜第４上フラップＦｏ１、Ｆｏ２、Ｆｏ３、Ｆｏ４と、第１〜第４側壁部Ｓ１〜Ｓ４の各下辺Ｌｕ１、Ｌｕ２、Ｌｕ３、Ｌｕ４に連接されている第１〜第４下フラップＦｕ１、Ｆｕ２、Ｆｕ３、Ｆｕ４とによって形成されている。
【００３６】
　また、組立状態においては、第１〜第４上フラップＦｏ１〜Ｆｏ４によって、上蓋部１０が構成され、第１〜第４下フラップＦｕ１〜Ｆｕ４によって、底部１１が構成されるようになっている。
【００３７】
　そして、第１〜第４側壁部Ｓ１〜Ｓ４は、それらの上辺Ｌｏ１〜Ｌｏ４または下辺Ｌｕ１〜Ｌｕ４が一直線上に並んだ状態となる図２の展開状態において、右側から第２側壁部Ｓ２、第１側壁部Ｓ１、第４側壁部Ｓ４、第３側壁部Ｓ３の順に形成されている。尚、第３側壁部Ｓ３の第４側壁部Ｓ４側とは反対側の辺には、第２側壁部Ｓ２と第３側壁部Ｓ３とを接合し、側壁を形成するための接合代２０が連接されている。
【００３８】
　次に、第１〜第４側壁部Ｓ１〜Ｓ４の構成について、より詳しく説明する。
　第１側壁部Ｓ１は、互いに平行な上辺Ｌｏ１及び下辺Ｌｕ１と、その上辺Ｌｏ１及び下辺Ｌｕ１に垂直で且つそれらより短い一対の辺と、からなる長方形に形成されている。
【００３９】
　そして、第３側壁部Ｓ３は、第１側壁部Ｓ１と合同である。
　また、第２側壁部Ｓ２も、互いに平行な上辺Ｌｏ２及び下辺Ｌｕ２と、その上辺Ｌｏ２及び下辺Ｌｕ２に垂直で且つそれらより短い一対の辺と、からなる長方形に形成されているが、上辺Ｌｏ２及び下辺Ｌｕ２の長さは、第１側壁部Ｓ１の上辺Ｌｏ１及び下辺Ｌｕ１よりも短い。
【００４０】
　そして、第４側壁部Ｓ４は、第２側壁部Ｓ２と合同である。
　更に、第１〜第４側壁部Ｓ１〜Ｓ４にて、上辺Ｌｏ１〜Ｌｏ４及び下辺Ｌｕ１〜Ｌｕ４に垂直な辺の長さは、全ての側壁部Ｓ１〜Ｓ４で等しい。
【００４１】
　次に、第１〜第４上フラップＦｏ１〜Ｆｏ４について、より詳しく説明する。
　第３上フラップＦｏ３は、第３側壁部Ｓ３の上辺Ｌｏ３と共有している辺（即ち、上辺Ｌｏ３と実質的に同じ辺）と、その辺に平行で且つ同じ長さの辺と、それら２つの辺に垂直で且つそれらよりも短い一対の辺と、からなる長方形に形成されている。
【００４２】
　また、第２上フラップＦｏ２も、第３上フラップＦｏ３と同様に、第２側壁部Ｓ２の上辺Ｌｏ２と共有している辺と、その辺に平行で且つ同じ長さの辺と、それら２つの辺に垂直で且つそれらよりも短い一対の辺と、からなる長方形に形成されている。
【００４３】
　一方、第１上フラップＦｏ１は、第３上フラップＦｏ３と合同であるが、特に、以下の点が異なっている。
　即ち、第１上フラップＦｏ１には、第１側壁部Ｓ１の上辺Ｌｏ１に垂直な一対の辺のうち、第４上フラップＦｏ４側の辺の第１側壁部Ｓ１側の根元付近から、第１側壁部Ｓ１の上辺Ｌｏ１に平行な辺へ向かって、折目Ｔ１が直線状に形成されている。そして、本包装箱１が図１の如く組立状態にある場合に、この折目Ｔ１によって、当該第１上フラップＦｏ１を本包装箱１の外側へ折り曲げることができるようになっている。更に、第１上フラップＦｏ１にて、折目Ｔ１を境にして分けられる２つの部分のうち、直角三角形になる部分２３（請求項１の第１上フラップにて第４上フラップと重なる部分の一部に相当）には、丸い指掛け穴２１が設けられている。
【００４４】
　また、第４上フラップＦｏ４は、第４側壁部Ｓ４の上辺Ｌｏ４と共有している辺と、その辺に平行な辺Ｌ１０と、第４側壁部Ｓ４の上辺Ｌｏ４に垂直な辺と、第４側壁部Ｓ４の上辺Ｌｏ４との成す角θＡが鋭角である辺Ｌ９と、からなる略台形状に形成されている。更に、第４上フラップＦｏ４の辺Ｌ９は、第１上フラップＦｏ１側にあると共に、上記角θＡは、９０度から折目Ｔ１と第１側壁部Ｓ１の上辺Ｌｏ１との成す角θＢを引いた角度よりも大きい。
【００４５】
　そして、第４上フラップＦｏ４には、辺Ｌ１０の中央部分に、辺Ｌ１０の方向に長い略長方形の切り込み部２２が設けられている。
　また、第１〜第４上フラップＦｏ１〜Ｆｏ４にて側壁部の上辺Ｌｏ１〜Ｌｏ４に垂直な辺の長さは、全ての上フラップＦｏ１〜Ｆｏ４で等しい。
【００４６】
　次に、第１〜第４下フラップＦｕ１〜Ｆｕ４について、より詳しく説明する。
　まず、第１下フラップＦｕ１は、第１側壁部Ｓ１の下辺Ｌｕ１と共有している辺と、第１側壁部Ｓ１の下辺Ｌｕ１に平行な辺Ｌ１と、第１側壁部Ｓ１の下辺Ｌｕ１との成す角θ１が鋭角である辺Ｌ５と、第１側壁部Ｓ１の下辺Ｌｕ１に垂直な辺と、からなる略台形状に形成されている。
【００４７】
　そして、第３下フラップＦｕ３も、第３側壁部Ｓ３の下辺Ｌｕ３と共有している辺と、その辺に平行な辺Ｌ３と、第３側壁部Ｓ３の下辺Ｌｕ３との成す角θ３が鋭角である辺Ｌ７と、第３側壁部Ｓ３の下辺Ｌｕ３に垂直な辺と、からなる略台形状に形成されている。そして更に、第３下フラップＦｕ３は、第１下フラップＦｕ１と合同である。
【００４８】
　また、第２下フラップＦｕ２も、第２側壁部Ｓ２の下辺Ｌｕ２と共有している辺と、その辺に平行な辺Ｌ２と、第２側壁部Ｓ２の下辺Ｌｕ２との成す角θ２が鋭角である辺Ｌ６と、第２側壁部Ｓ２の下辺Ｌｕ２に垂直な辺と、からなる略台形状に形成されている。
【００４９】
　そして、第４下フラップＦｕ４も、第４側壁部Ｓ４の下辺Ｌｕ４と共有している辺と、その辺に平行な辺Ｌ４と、第４側壁部Ｓ４の下辺Ｌｕ４との成す角θ４が鋭角である辺Ｌ８と、第４側壁部Ｓ４の下辺Ｌｕ４に垂直な辺と、からなる略台形状に形成されている。そして更に、第４下フラップＦｕ４は、第２下フラップＦｕ２と合同である。
【００５０】
　また、第１、第３下フラップＦｕ１、Ｆｕ３の辺Ｌ１、Ｌ３は、第２、第４下フラップＦｕ２、Ｆｕ４の辺Ｌ２、Ｌ４よりも長く、上記４つの角θ１、θ２、θ３、θ４はそれぞれ等しくなっている。
【００５１】
　そして、第１〜第４下フラップＦｕ１〜Ｆｕ４にて側壁部の下辺Ｌｕ１〜Ｌｕ４に垂直な辺の長さは、全ての下フラップＦｕ１〜Ｆｕ４で等しい。
　しかも、第１〜第４下フラップＦｕ１〜Ｆｕ４の辺Ｌ５〜Ｌ８は、第１〜第４側壁部Ｓ１〜Ｓ４の下辺Ｌｕ１〜Ｌｕ４が一直線上に並ぶ図２の展開状態において、第１〜第４下フラップＦｕ１〜Ｆｕ４の各々にて同一側（図２において左側）にある。
【００５２】
　次に、包装箱１の組立手順について説明する。
　まず、図２に示す展開状態にある包装箱１の接合代２０と、第２側壁部Ｓ２にて包装箱１の中側となる面であって、第１側壁部Ｓ１側とは反対側の辺の部分とを接着剤で接合することで、第１〜第４側壁部Ｓ１〜Ｓ４とが角筒状になり、図１に示す包装箱１の四方の側壁が形成される。
【００５３】
　続いて、底部１１を作成する。そして、上蓋部１０を作成することで、図１に示す組立状態の包装箱１が完成する。
　次に、底部１１の作成の手順ついて詳しく説明する。
【００５４】
　まず、第１〜第４下フラップＦｕ１〜Ｆｕ４を、図３に示すように、各下フラップＦｕ１〜Ｆｕ４の辺Ｌ５〜Ｌ８（請求項４の傾斜側辺に相当）とその辺Ｌ５〜Ｌ８の側に隣接する他の下フラップＦｕ１〜Ｆｕ４にて包装箱１の中側となる面３１、３２、３３、３４（Ｌ５に対して３４、Ｌ６に対して３１、Ｌ７に対して３２、Ｌ８に対して３３）とが当接するまで折り曲げる。尚、図において、点線で示す箇所は、透過状態としている。
【００５５】
　次いで、第１〜第４下フラップＦｕ１〜Ｆｕ４を包装箱１の中側（図３において下方）へ押すことで、図１（Ｂ）に示す底部１１を作成することができる。
　次は、上蓋部１０を閉じる（封緘）手順について詳しく説明する。
【００５６】
　まず、第１〜第３上フラップＦｏ１〜Ｆｏ３を、Ｆｏ１、Ｆｏ２、Ｆｏ３の順に、各側壁部Ｓ１〜Ｓ３の上辺Ｌｏ１〜Ｌｏ３で包装箱１の中側へ折り曲げる。
　次いで、図４に示すように、第１上フラップＦｏ１の直角三角形の部分２３を折目Ｔ１で包装箱１の上側（外側）へ折り曲げてから、第４上フラップＦｏ４を第１上フラップＦｏ１よりも包装箱１の中側へ入れる。そして、第１上フラップＦｏ１の直角三角形の部分２３を元に戻すことで、上蓋部１０を構成することができる。
【００５７】
　このように、側壁、底部１１、上蓋部１０の順で作成作業を行うことにより、図２に示す１枚のシート材から包装箱１を作成することができる。
　一方、包装箱１の解体作業は、以下の手順にて行うことができる。
【００５８】
　まず、上蓋部１０を開く。次いで、底部１１を開く。そして、角筒状に形成されている四方の側壁にて接合代２０で接着された部分を剥がすことで、図２の展開状態に戻り、包装箱１を解体することができる。
【００５９】
　次に、上蓋部１０を開く（開封）手順について詳しく説明する。
　まず、前述の手順で閉じられた上蓋部１０のうちの第１上フラップＦｏ１を折目Ｔ１にて包装箱１の外側へ折り曲げる。次いで、このときに第４上フラップＦｏ４にて第１上フラップＦｏ１と重なっている部分２４（図４にて折目Ｔ１と第４上フラップＦｏ４の辺Ｌ９を２辺とする三角形の部分）を第１上フラップＦｏ１よりも包装箱１の外側へ抜き出すと同時に、第４上フラップＦｏ４を第４側壁部Ｓ４の上辺Ｌｏ４で包装箱１の外側へ折り曲げる。
【００６０】
　その後は、封緘作業とは逆の順番に、残りの上フラップＦｏ３〜Ｆｏ１をそれが連接している側壁部Ｓ３〜Ｓ１の上辺Ｌｏ３〜Ｌｏ１で包装箱１の外側へ折り曲げることで開封することができる。
【００６１】
　次に、底部１１を開く（開放）作業について詳しく説明する。
　前述の手順で閉じられた底部１１のうち、下フラップＦｕ１〜Ｆｕ４の何れか１つを、それが連接している側壁部の下辺で包装箱１の外側へ折り曲げるだけで、各下フラップ同士Ｆｕ１〜Ｆｕ４の係合を解除して底部１１を開放することができる。
【００６２】
　このように、上蓋部１０、底部１１、側壁の順で作業を行うことにより、包装箱１から図２に示す１枚のシート材へ戻す（解体する）ことができる。
　ここで、本包装箱１の完成時に第４上フラップＦｏ４にて第１上フラップＦｏ１と重なる部分２５（図５にて第４上フラップＦｏ４の辺Ｌ９と、第１上フラップＦｏ１にて第１側壁部Ｓ１の上辺Ｌｏ１に対向する辺と、第１上フラップＦｏ１にて第１側壁部Ｓ１の上辺Ｌｏ１に垂直で且つ第４上フラップＦｏ４側の辺とで囲まれる部分）の面積は、第４上フラップＦｏ４の角θＡが鋭角であるため、従来技術（１）の包装箱にて上フラップ同士の重なる部分の面積よりも小さい。しかも、上蓋部１０を閉じる際と開く際との両方において、第１上フラップＦｏ１と重なる第４上フラップＦｏ４の部分は、第１上フラップＦｏ１を前述の如く折目Ｔ１で折り曲げることにより、上記部分２５の一部である前述の部分２４となる。そして、その部分２４の面積は、従来技術（１）にて上フラップ同士の重なる部分の面積よりも格段に小さくなる。尚、図５は、上蓋部１０を構成した状態の第１上フラップＦｏ１と第４上フラップＦｏ４を本包装箱１の上方から表す平面図である。
【００６３】
　よって、第４上フラップＦｏ４を第１上フラップＦｏ１よりも包装箱１の中側へ入れることと、第４上フラップＦｏ４を第１上フラップＦｏ１よりも包装箱１の外側へ抜き出すこととを容易に行うことができる。
【００６４】
　以上のような第１実施例の包装箱１によれば、第１、第４上フラップＦｏ１、Ｆｏ４に損傷を与えることなく、第４上フラップＦｏ４を第１上フラップＦｏ１よりも包装箱１の中側へ容易に入れることができる。更に、第１、第４上フラップＦｏ１、Ｆｏ４に損傷を与えることなく、第４上フラップＦｏ４を第１上フラップＦｏ１よりも包装箱１の外側へ容易に抜き出すこともできる。従って、封緘及び開封作業を容易に実施することができる。
【００６５】
　ここで、第１上フラップＦｏ１を折目Ｔ１で折り曲げるときには、指掛け穴２１に指を入れて作業をすることにより、封緘及び開封作業の効率が更に向上する。
　また、開封作業をする際に、第４上フラップＦｏ４の切り込み部２２に手を掛けて、第４上フラップＦｏ４を第４側壁部Ｓ４の上辺で包装箱１の外側へ折り曲げる作業を行うことで、第４上フラップＦｏ４にて第１上フラップＦｏ１と重なっている部分２４を第１上フラップＦｏ１から抜き出すことが容易にできるため、開封作業の効率が更に向上する。
【００６６】
　そして更に、包装箱１の底部１１は、単純な手順で作成することができる。また、作成された底部１１にて下フラップＦｕ１〜Ｆｕ４の何れか１つをそれが連接している側壁部の下辺で包装箱１の外側へ折り曲げるだけで、各下フラップ同士Ｆｕ１〜Ｆｕ４の係合を解除して底部１１を開放することができる。
【００６７】
　従って、箱型状への組み立て（作成）及び解体作業までも容易に実施することができる。
　一方、包装箱１は、鉄や厚紙等で形成しても良いが、本第１実施例のように段ボール紙で形成した方が、重量を軽くすることができるという点や、充分な強度を確保することができるという点から有利である。
【００６８】
　〔第２実施例〕
　次に、本考案（請求項６〜８）が適用された第２実施例の包装箱２について説明する。尚、以下の第２実施例に関する図においても、第１実施例で用いた図１〜５と同様に、破線は折目であり、点線は透過を示す。
【００６９】
　まず、図６は包装箱２の組立状態における斜視図であり、同図（Ａ）は上蓋部１２を上側、同図（Ｂ）は下側（つまり、底部１３を上側）としている。また、図７は、同包装箱２の展開状態における平面図である。
【００７０】
　包装箱２は、段ボール製のシート材からなり、図７に示すような形状に裁断されている。尚、段ボールの目方向は、図７中に示したとおり、組立状態において上下方向となる方向とされている。また、以下の説明において、上下左右縦横等、方向に関する表現は、図７における方向である。
【００７１】
　裁断された包装箱２は、長方形の第１〜第４側壁部Ｓ５、Ｓ６、Ｓ７、Ｓ８と、第１〜第４側壁部Ｓ５〜Ｓ８の各上辺Ｌｏ５、Ｌｏ６、Ｌｏ７、Ｌｏ８に連接されている第１〜第４上フラップＦｏ５、Ｆｏ６、Ｆｏ７、Ｆｏ８と、第１〜第４側壁部Ｓ５〜Ｓ８の各下辺Ｌｕ５、Ｌｕ６、Ｌｕ７、Ｌｕ８に連接されている第１〜第４下フラップＦｕ５、Ｆｕ６、Ｆｕ７、Ｆｕ８とによって形成されている。
【００７２】
　また、組立状態においては、第１〜第４上フラップＦｏ５〜Ｆｏ８によって、上蓋部１２が構成され、第１〜第４下フラップＦｕ５〜Ｆｕ８によって、底部１３が構成されるようになっている。
【００７３】
　そして、第１〜第４側壁部Ｓ５〜Ｓ８は、各側壁部の上辺Ｌｏ５〜Ｌｏ８または下辺Ｌｕ５〜Ｌｕ８が一直線上に並んだ状態となる図７の展開状態において、左側から第１側壁部Ｓ５、第２側壁部Ｓ６、第３側壁部Ｓ７、第４側壁部Ｓ８の順に形成されている。尚、第１側壁部Ｓ５の第２側壁部Ｓ６と反対側の辺には、第１側壁部Ｓ５と第４側壁部Ｓ８とを接合し、側壁を形成するための接合代３０が連接されている。
【００７４】
　次に、第１〜第４側壁部Ｓ５〜Ｓ８の構成について、より詳しく説明する。
　第１側壁部Ｓ５は、互いに平行な上辺Ｌｏ５及び下辺Ｌｕ５と、その上辺Ｌｏ５及び下辺Ｌｕ５に垂直で且つそれらより短い一対の辺と、からなる長方形に形成されている。
【００７５】
　そして、第３側壁部Ｓ７は、第１側壁部Ｓ５と合同である。
　また、第２側壁部Ｓ６は、互いに平行な上辺Ｌｏ６及び下辺Ｌｕ６と、その上辺Ｌｏ６及び下辺Ｌｕ６に垂直で且つそれらより長い一対の辺と、からなる長方形に形成されている。また、上辺Ｌｏ６及び下辺Ｌｕ６の長さは、第１側壁部Ｓ５の上辺Ｌｏ５及び下辺Ｌｕ５よりも短い。
【００７６】
　そして、第２側壁部Ｓ６の上辺Ｌｏ６及び下辺Ｌｕ６の垂直二等分線上には、その線に対称な略楕円形の穴４１が上辺Ｌｏ６側に設けられている。
　また、第４側壁部Ｓ８は、第２側壁部Ｓ６と合同である。そして、第４側壁部Ｓ８にも第２側壁部Ｓ６の穴４１と同様の穴４２が設けられている。
【００７７】
　更に、第１〜第４側壁部Ｓ５〜Ｓ８にて、上辺Ｌｏ５〜Ｌｏ８及び下辺Ｌｕ５〜Ｌｕ８に垂直な辺の長さは、全ての側壁部Ｓ５〜Ｓ８で等しい。
　次に、第１〜第４上フラップＦｏ５〜Ｆｏ８について、より詳しく説明する。
【００７８】
　まず、第２上フラップＦｏ６は、第２側壁部Ｓ６の上辺Ｌｏ６と共有している辺（即ち、上辺Ｌｏ６と実質的に同じ辺）と、その辺に平行な辺と、それら２つの辺に垂直で且つそれらよりも短い一対の辺と、からなる略長方形に形成されている。そして、第２上フラップＦｏ６にて第２側壁部Ｓ６側とは反対側の両端は丸みを帯びている。
【００７９】
　更に、第２上フラップＦｏ６には、第２側壁部Ｓ６の上辺Ｌｏ６に垂直な一対の辺の垂直二等分線に相当する位置に折目Ｔ２が形成されている。そして、本包装箱２が図６の如く組立状態にある場合に、図８のようにこの折目Ｔ２によって、当該第２上フラップＦｏ６を山状に折り曲げることができるようになっている。
【００８０】
　また、第４上フラップＦｏ８は、第２上フラップＦｏ６と合同である。
　更に、第４上フラップＦｏ８にも、第４側壁部Ｓ８の上辺Ｌｏ８に垂直な一対の辺の垂直二等分線に相当する位置に折目Ｔ３が形成されている。そして、本包装箱２が図６の如く組立状態にある場合に、図８のようにこの折目Ｔ３によって、当該第４上フラップＦｏ８を山状に折り曲げることができるようになっている。
【００８１】
　そして、第１上フラップＦｏ５は、第１側壁部Ｓ５の上辺Ｌｏ５と共有している辺と、その辺に平行な辺と、それら２つの辺に垂直で且つそれらの辺よりも短い一対の辺と、からなる略長方形に形成されている。また、第１上フラップＦｏ５にて第１側壁部Ｓ５側とは反対側の両端は丸みを帯びている。
【００８２】
　更に、第１上フラップＦｏ５にて第１側壁部Ｓ５の上辺Ｌｏ５に対向する辺側には、その辺の長手方向に２つの丸い穴４３、４４が設けられている。また、その２つの穴４３、４４は、第１側壁部Ｓ５の上辺Ｌｏ５の垂直二等分線で対称となっている。
【００８３】
　そして特に、第１上フラップＦｏ５には、第２上フラップＦｏ６の第２側壁部Ｓ６側とは反対側の両角部５１、５３（図７に示す点線の斜線部分）のうち、第１上フラップＦｏ５側の角部５１が挿入される第１スリットＳＬ１と、第４上フラップＦｏ８の第４側壁部Ｓ８側とは反対側の両角部５２、５４のうち、第３上フラップＦｏ７側ではない方の角部５２が挿入される第２スリットＳＬ２と、が設けられている。
【００８４】
　また、第３上フラップＦｏ７は、第１上フラップＦｏ５と合同である。
　そして、この第３上フラップＦｏ７にも、第１上フラップＦｏ５の穴４３、４４と同様の穴４５、４６が設けられている。
【００８５】
　そして特に、第３上フラップＦｏ７には、第２上フラップＦｏ６の上記両角部５１、５３のうち、第３上フラップＦｏ７側の角部５３が挿入される第３スリットＳＬ３と、第４上フラップＦｏ８の上記両角部５２、５４のうち、第３上フラップＦｏ７側の角部５４が挿入される第４スリットＳＬ４と、が設けられている。
【００８６】
　また、第１〜第４上フラップＦｏ５〜Ｆｏ８にて側壁部の上辺Ｌｏ５〜Ｌｏ８に垂直な辺の長さは、全ての上フラップＦｏ５〜Ｆｏ８で等しい。
　次に、第１〜第４スリットＳＬ１〜ＳＬ４について詳しく説明する。
【００８７】
　まず、第１上フラップＦｏ５にある第１スリットＳＬ１は、第１側壁部Ｓ５の上辺Ｌｏ５と共有している辺（即ち、上辺Ｌｏ５と実質的に同じ辺）の一部である辺Ｌ１１と、辺Ｌ１１に垂直な辺Ｌ１２と、辺Ｌ１１に平行で且つ辺Ｌ１１よりも長い辺Ｌ１３と、辺Ｌ１１に垂直で且つ辺Ｌ１２よりも短い辺Ｌ１４と、辺Ｌ１１との成す角が鈍角で且つ辺Ｌ１４との成す角も鈍角な辺Ｌ１５と、からなる五角形に形成されている。そして、辺Ｌ１１に垂直な２つの辺Ｌ１２、Ｌ１４のうち、辺Ｌ１２の方が第２上フラップＦｏ６側になっている。
【００８８】
　そして更に、第１スリットＳＬ１の辺Ｌ１４から第１上フラップＦｏ５の第２上フラップＦｏ６側の辺までの距離は、上フラップＦｏ５〜Ｆｏ８の上下方向（上辺Ｌｏ５〜Ｌｏ８に垂直な方向）の長さと等しい。
【００８９】
　また、第２スリットＳＬ２は、第１スリットＳＬ１と合同であり、その第１スリットＳＬ１を第１側壁部Ｓ５の上辺Ｌｏ５の垂直二等分線に関して線対称移動させた位置及び形状に形成されている。
【００９０】
　一方、第３及び第４スリットＳＬ３、ＳＬ４も、第１及び第２スリットＳＬ１、ＳＬ２と合同である。そして、第３スリットＳＬ３は、第３上フラップＦｏ７において、第１上フラップＦｏ５上の第２スリットＳＬ２と同じ位置及び形状に形成されており、第４スリットＳＬ４は、第３上フラップＦｏ７において、第１上フラップＦｏ５上の第１スリットＳＬ１と同じ位置及び形状に形成されている。つまり、第１及び第３上フラップＦｏ５、Ｆｏ７は、外枠の合同のみならず、それらに形成されているものまでも全く同じである。
【００９１】
　次に、第１〜第４下フラップＦｕ５〜Ｆｕ８について、より詳しく説明する。
　まず、第１下フラップＦｕ５は、第１側壁部Ｓ５の下辺Ｌｕ５と共有している辺（即ち、下辺Ｌｕ５と実質的に同じ辺）と、その辺に垂直な辺Ｌ３１と、辺Ｌ３１に垂直な辺Ｌ３２と、辺Ｌ３１に平行で且つ辺Ｌ３１よりも短い辺Ｌ３３と、辺Ｌ３１に垂直で且つ辺Ｌ３２よりも長い辺Ｌ３４と、辺Ｌ３１に平行で且つ辺Ｌ３３と長さが等しい辺Ｌ３５と、辺Ｌ３１に垂直で且つ辺Ｌ３２と長さが等しい辺Ｌ３６と、辺Ｌ３１に平行で且つ辺Ｌ３１と長さが等しい辺Ｌ３７と、からなる略凸型形状に形成されている。
【００９２】
　また、辺Ｌ３１と辺Ｌ３２との角部と、辺Ｌ３３と辺Ｌ３４との角部と、辺Ｌ３４と辺Ｌ３５との角部と、辺Ｌ３６と辺Ｌ３７との角部とは、それぞれ丸みを帯びている。
　更に、第１下フラップＦｕ５において、辺Ｌ３３と、辺Ｌ３４と、辺Ｌ３５とからなる突出部には、辺Ｌ３４の長手方向に２つの丸い穴４７、４８が設けられている。また、その２つの穴４７、４８は、第１側壁部Ｓ５の下辺Ｌｕ５の垂直二等分線で対称となっている。
【００９３】
　そして、第３下フラップＦｕ７は、第１下フラップＦｕ５と合同である。更に、第３下フラップＦｕ７にて第１下フラップＦｕ５と同じ位置には、上記穴４７、４８と同様の穴４９、５０が設けられている。
【００９４】
　一方、第２下フラップＦｕ６は、第２側壁部Ｓ６の下辺Ｌｕ６と共有している辺と、その辺との成す角が鋭角で且つその辺の両端のうちの第１下フラップＦｏ５側の端から延びる辺Ｌ３８と、下辺Ｌｕ６と共有している辺との成す角が鋭角で且つその辺の両端のうちの第３下フラップＦｕ７側の端から延びる辺Ｌ３９と、辺Ｌ３８、Ｌ３９の第２側壁部Ｓ６側とは反対側の端同士を結ぶ仮想直線Ｌ４０（図７に示す一点鎖線）と、からなる台形形状をした第１部分５５と、第１部分５５の先端に連接し、その先端から第２側壁部Ｓ６側とは反対側へ向かうにつれて、仮想直線Ｌ４０の長さよりも、幅が広くなっていく第２部分５７と、によって形成されている。
【００９５】
　更に、第２下フラップＦｕ６は、第２側壁部Ｓ６の下辺Ｌｕ６の垂直２等分線で対称となっている。
　ここで、第１下フラップＦｕ５の辺Ｌ３６と、第１側壁部Ｓ５の下辺Ｌｕ５との間の距離Ｄｘ１は、第２下フラップＦｕ６の辺Ｌ３８の両端のうち、第１下フラップＦｕ５側の端と、その辺Ｌ３８の両端のうちのもう一方の端から第２側壁部Ｓ６の下辺Ｌｕ６へ延びる垂線との間の距離Ｄｘ２以下となっている。
【００９６】
　そして、第１下フラップＦｕ５の辺Ｌ３５と辺Ｌ３７との間の距離Ｄｙ１は、第２側壁部Ｓ６の下辺Ｌｕ６と上記仮想直線Ｌ４０との間の距離Ｄｙ２以上となっている。
　更に、第１下フラップＦｕ５の辺Ｌ３４と辺Ｌ３６との間の距離Ｄｚ１は、仮想直線Ｌ４０の長さの２分の１以上となっている。
【００９７】
　尚、図７において、距離Ｄｘ１、Ｄｘ２、Ｄｙ１、Ｄｙ２、Ｄｚ１は、仮想直線Ｌ４０と同様に一点鎖線で示している。
　また、第１下フラップＦｕ５の上下方向（下辺Ｌｕ５に垂直な方向）の長さは、第２下フラップＦｕ６の上下方向（下辺Ｌｕ６に垂直な方向）の長さと等しい。
【００９８】
　そして、第４下フラップＦｕ８は、第２下フラップＦｕ６と合同である。つまり、第４下フラップＦｕ８は、第２下フラップＦｕ６と同様の、第１部分５６と第２部分５８とによって形成されている。
【００９９】
　次に、包装箱２の組立の手順について説明する。
　まず、図７に示す展開状態にある包装箱２の接合代３０と、第４側壁部Ｓ８にて包装箱２の中側となる面であって、第３側壁部Ｓ７側とは反対側の辺の部分とを接着剤で接合することで、第１〜第４側壁部Ｓ５〜Ｓ８が角筒状になり、図６に示す包装箱２の四方の側壁が形成される。
【０１００】
　続いて、底部１３を作成する。そして、上蓋部１２を作成することで、図６に示す組立状態の包装箱２が完成する。また、このような手順で完成された包装箱２は、逆の手順で作業を行うことで図７に示す１枚のシート材へ戻すことができる。
【０１０１】
　次に、底部１３の作成の手順ついて詳しく説明する。
　まず、第１、第３下フラップＦｕ５、Ｆｕ７を、第１、第３側壁部Ｓ５、Ｓ７の各下辺Ｌｕ５、Ｌｕ７で包装箱２の中側へ折り曲げる。次いで、第２、第４下フラップＦｕ６、Ｆｕ８を、第２、第４側壁部Ｓ６、Ｓ８の各下辺Ｌｕ６、Ｌｕ８で同様に包装箱２の中側へ折り曲げるが、その際、図９に示すように、第２部分５７、５８が、第１、第３下フラップＦｕ５、Ｆｕ７よりも包装箱２の中側に至るまで折り曲げる。
【０１０２】
　すると、図９に示すように、第２、第４下フラップＦｕ６、Ｆｕ８の第２部分５７、５８が、第１、第３下フラップＦｕ５、Ｆｕ７よりも包装箱２の中側へ入り込むと共に、第１、第３下フラップＦｕ５、Ｆｕ７にて第２、第４下フラップＦｕ６、Ｆｕ８の第１部分５５、５６と重なる部分５９、６０、６１、６２が、それら下フラップＦｕ６、Ｆｕ８の第１部分５５、５６よりも包装箱２の中側になる。
【０１０３】
　これにより、下フラップＦｕ５〜Ｆｕ８同士が係合されるため、図６（Ｂ）に示す底部１３が構成される。
　また、このような手順で閉じられた底部１３は、第１、第３下フラップＦｕ５、Ｆｕ７を、第２、第４下フラップＦｕ６、Ｆｕ８の第２部分５７、５８よりも包装箱２の中側（図９の状態よりも更に包装箱２の中側）へ押し込むだけで、上記第２部分５７、５８が、第１、第３下フラップＦｕ５、Ｆｕ７よりも包装箱２の外側となるため、各下フラップ同士Ｆｕ５〜Ｆｕ８の係合を簡単に解除して開放することができる。
【０１０４】
　次に、上蓋部１２を閉じる（封緘）手順について詳しく説明する。
　まず、第１、第３上フラップＦｏ５、Ｆｏ７を、第１、第３側壁部Ｓ５、Ｓ７の各上辺Ｌｏ５、Ｌｏ７で包装箱２の中側へ折り曲げる。次いで、第２、第４上フラップＦｏ６、Ｆｏ８を、第２、第４側壁部Ｓ６、Ｓ８の各上辺Ｌｏ６、Ｌｏ８で同様に折り曲げ、第２、第４上フラップＦｏ６、Ｆｏ８の角部５１〜５４の各々を、それと対応する第１、第３上フラップＦｏ５、Ｆｏ７のスリットＳＬ１〜ＳＬ４の各々に挿入することで、上蓋部１２が構成される。
【０１０５】
　このとき、図８のように、第２、第４上フラップＦｏ６、Ｆｏ８は、折目Ｔ２、Ｔ３によって、山状に折り曲げることができるため、上記角部５１〜５４の各々を、それと対応するスリットＳＬ１〜ＳＬ４の各々に簡単に挿入することができる。
【０１０６】
　また、このような手順で閉じられた上蓋部１２は、第２、第４上フラップＦｏ６、Ｆｏ８の角部５１〜５４の各々を各スリットＳＬ１〜ＳＬ４から抜き出すと同時に、第２、第４上フラップＦｏ６、Ｆｏ８を第２、第４側壁部Ｓ６、Ｓ８の各上辺Ｌｏ６、Ｌｏ８で包装箱２の外側へ折り曲げ、次いで、第１、第３上フラップＦｏ５、Ｆｏ７を、第１、第３側壁部Ｓ５、Ｓ７の各上辺Ｌｏ５、Ｌｏ７で包装箱２の外側へ折り曲げることで開封することができる。尚、上記角部５１〜５４の各々を各スリットＳＬ１〜ＳＬ４から抜き出す際には、第２、第４上フラップＦｏ６、Ｆｏ８を折目Ｔ２、Ｔ３で山状に折り曲げるだけで、その抜き出し作業を行うことができる。
【０１０７】
　以上のような第２実施例の包装箱２によれば、開封及び封緘作業を行う際において、従来技術（２）のように突設した部分を意識しなくてもよいため、封緘及び開封作業を容易に且つ迅速に実施することができる。また更に、折目Ｔ２、Ｔ３があるので、より一層容易になる。
【０１０８】
　また、本包装箱２の底部１３は、第１、第３下フラップＦｕ５、Ｆｕ７を、第１、第３側壁部Ｓ５、Ｓ７の各下辺Ｌｕ５、Ｌｕ７で包装箱２の中側へ折り曲げてから、第２、第４下フラップＦｕ６、Ｆｕ８を第２、第４側壁部Ｓ６、Ｓ８の各下辺Ｌｕ６、Ｌｕ８で同様に、第２部分５７、５８が第１、第３下フラップＦｕ５、Ｆｕ７よりも包装箱２の中側に至るまで折り曲げる、といった手順だけで作成することができる。
【０１０９】
　そして、このような手順で作成した底部１３の第１、第３下フラップＦｕ５、Ｆｕ７を、第２、第４下フラップＦｕ６、Ｆｕ８の第２部分５７、５８よりも包装箱２の中側へ押し込むだけで、第２部分５７、５８が第１、第３下フラップＦｕ５、Ｆｕ７よりも包装箱２の外側となるため、各下フラップ同士Ｆｕ５〜Ｆｕ８の係合を解除して底部１３を開放することができる。
【０１１０】
　従って、箱型状への組み立て（作成）及び解体作業までも簡単に行うことができる。
　尚、第１、第３上フラップＦｏ５、Ｆｏ７及び第１、第３下フラップＦｕ５、Ｆｕ７の穴４３〜５０は、通気孔の役割を果たす。例えば、包装箱２の中にホウレンソウやレタス等の野菜を入れた際に、その鮮度を長時間保つことが可能である。
【０１１１】
　また、第２、第４側壁部Ｓ６、Ｓ８の穴４１、４２は、指を掛けるための穴として使用してもよい。例えば、包装箱２を持ち運ぶ際に、指を掛けて使用すると便利である。
　〔第３実施例〕
　第３実施例の包装箱は、第１実施例の包装箱１と比較すると、上蓋部が包装箱１の底部１１と同じ構成になっている。また、本包装箱の底部は、閉じることができるものであればどの様な構成でも良いが、ここでは、第２実施例の包装箱２の底部１３と同じ構成をしている。
【０１１２】
　そして、このような包装箱によれば、上蓋部を、第１実施例の包装箱１の底部１１と同様に、単純な手順で且つ容易に閉じたり開いたりすることができる。
　尚、この場合、図１の符号を引用するならば、第１〜第４下フラップＦｕ１〜Ｆｕ４が、請求項５に記載の第１〜第４上フラップに相当し、第１〜第４側壁部Ｓ１〜Ｓ４の下辺Ｌｕ１〜Ｌｕ４が、請求項５に記載の第１〜第４側壁部の上辺に相当する。また、第１〜第４下フラップＦｕ１〜Ｆｕ４の辺Ｌ５〜Ｌ８が請求項５に記載の傾斜側辺に相当する。
【０１１３】
　〔第４実施例〕
　次に、第４実施例の包装箱３について図１０〜図１３を用い説明する。尚、図１０〜図１３において、前述した図６〜図９と同じ構成要素については同一の符号を付しているため、説明は省略する。
【０１１４】
　まず図１０は、本第３実施例の包装箱３の組立状態における斜視図であり、同図（Ａ）は上蓋部１２を上側、同図（Ｂ）は底部１３を上側としている。そして、図１１は同包装箱３の展開状態における平面図である。
【０１１５】
　そして、本第４実施例の包装箱３は、第２実施例の包装箱２と比較すると、下記（１）〜（５）の点が主に異なっている。
　（１）第１側壁部Ｓ５の上辺Ｌｏ５及び下辺Ｌｕ５の長さは、第２側壁部Ｓ６の上辺Ｌｏ６及び下辺Ｌｕ６よりも短い。また同様に、第３側壁部Ｓ７の上辺Ｌｏ７及び下辺Ｌｕ７の長さは、第４側壁部Ｓ８の上辺Ｌｏ８及び下辺Ｌｕ８よりも短い。
【０１１６】
　尚、第１〜第４側壁部Ｓ５〜Ｓ８は、各側壁部の上辺Ｌｏ５〜Ｌｏ８または下辺Ｌｕ５〜Ｌｕ８が一直線上に並んだ状態となる図１１の展開状態において、左側から第４側壁部Ｓ８、第１側壁部Ｓ５、第２側壁部Ｓ６、第３側壁部Ｓ７の順に形成されている。また、第２実施例の包装箱２に設けられていた略楕円形の穴４１、４２は、第１、第３側壁部Ｓ５、Ｓ７にそれぞれ設けられている。
【０１１７】
　（２）第２上フラップＦｏ６には、図１１に示すように、その上フラップＦｏ６にて第２側壁部Ｓ６側とは反対側の部分に切り込み７１、７２が設けられている。そして、その上フラップＦｏ６の両角部５１、５３をそれに対応するスリットＳＬ１、ＳＬ３に入れた後（つまり、上蓋部１２を作成した後）に、両角部５１、５３がそれに対応する上フラップＦｏ５、Ｆｏ７に引っ掛かるようにしている。
【０１１８】
　そして、第４上フラップＦｏ８にも、第２上フラップＦｏ６上の切り込み７１、７２と同様の位置に同じ形状の切り込み７３、７４が設けられている。
　（３）第１、第３上フラップＦｏ５、Ｆｏ７にそれぞれ設けられている第１〜第４スリットＳＬ１〜ＳＬ４は、それに対応する第２、第４上フラップＦｏ６、Ｆｏ８の角部が挿入されることで上蓋部１２を形成することができる位置に設けられている。
【０１１９】
　（４）第１〜第４下フラップＦｕ５〜Ｆｕ８は長方形に形成されている。
　そして、第１下フラップＦｕ５には、図１１に示すように、第１側壁部Ｓ５の下辺Ｌｕ５に平行な２本の切目Ｃが、その下辺Ｌｕ５の垂直二等分線で対称となるように設けられていると共に、それら２本の切目Ｃよりも第１側壁部Ｓ５の下辺Ｌｕ５側には、その下辺Ｌｕ５に平行な折目Ｔ４が形成されている。
【０１２０】
　尚、第３下フラップＦｕ７は第１下フラップＦｕ５と合同である。つまり、第３下フラップＦｕ７にも、第１下フラップＦｕ５上の２本の切目Ｃ及び折目Ｔ４と同じ位置に、２本の切目Ｃと第３側壁部Ｓ７の下辺Ｌｕ７に平行な折目Ｔ５とが設けられている。
【０１２１】
　（５）第２下フラップＦｕ６と第４下フラップＦｕ８は、その第２、第４下フラップＦｕ６、Ｆｕ８を包装箱３の中側へ折り曲げた際に、互いに接するようになっている。更に、第２下フラップＦｕ６にて第４下フラップＦｕ８と接する辺（即ち、第２下フラップＦｕ６にて第２側壁部Ｓ６の下辺Ｌｕ６に対向する辺）側には、２つの長方形の切り込み７５、７６が対称の位置関係となるように設けられている。そして、第４下フラップＦｕ８にも、第２下フラップＦｕ６の切り込み７５、７６と同様の位置に同じ形状の切り込み７７、７８が設けられている。
【０１２２】
　また、第１下フラップＦｕ５にて第２下フラップＦｕ６側の切目Ｃと第１側壁部Ｓ５の下辺Ｌｕ５との間の距離をＤｘ３とし、第２下フラップＦｕ６における第１下フラップＦｕ５側の辺と第２下フラップＦｕ６における第１下フラップＦｕ５側の切り込み７５との間の距離をＤｘ４とすると、Ｄｘ３はＤｘ４よりも長くなっている。そして、切目Ｃの長さＤｙ３は、第２下フラップＦｕ６の切り込み７５（又は７６）と第２側壁部Ｓ６の下辺Ｌｕ６との間の距離Ｄｙ４と等しくなっている。
【０１２３】
　そして、上記（１）〜（５）の構成をした第３実施例の包装箱３によれば、上述した第２実施例の包装箱２の封緘及び開封作業と同様に、角部５１〜５４の各々をそれに対応するスリットＳＬ１〜ＳＬ４の各々に挿入したり、抜き出したりすることで封緘及び開封作業を容易に実施することができる。
【０１２４】
　また更に、上蓋部１２を作成（封緘）すると、角部５１〜５４の各々は、図１２に示すように、それに対応する上フラップＦｏ５、Ｆｏ７に引っ掛かるため、自然に開封されにくくなる。
【０１２５】
　尚、底部１３は以下の手順で作成することができる。
　まず、第２、第４下フラップＦｕ６、Ｆｕ８を包装箱３の中側へ折り曲げる。これにより、図１３に示すように、両フラップＦｕ６、Ｆｕ８の切り込み７５〜７８が合わさることで、２つの穴７９、８０が形成される。
【０１２６】
　次に、図１２に示すように、第１下フラップＦｕ５にて切目Ｃより第１側壁部Ｓ５の下辺Ｌｕ５側とは反対側の部分８１、８２を、矢印Ｙ１及び矢印Ｙ２の方向に折り曲げる。次いで、その下フラップＦｕ５を折目Ｔ４で山状に折り曲げて、第２、第４下フラップＦｕ６、Ｆｕ８の切り込み７５、７８が合わさってできた穴７９に挿入する。
【０１２７】
　更に、第１下フラップＦｕ５について行った上記作業を第３下フラップＦｕ７についても同様に行うことにより、図１０（Ｂ）に示す底部１３を作成することができる。
　尚、本包装箱３の底部１３は、本願出願人が先に出願した実願２００３−１６７９号の包装箱の底蓋部と同じである。
【０１２８】
　〔その他〕
　以上、本考案の実施例について説明したが、本考案は、種々の形態を採り得ることは言うまでもない。
【０１２９】
　例えば、第１実施例の包装箱１において、底部１１を第２実施例の包装箱２の底部１３と同様の構成に置き換えても良い。また、第２、第３上フラップＦｏ２、Ｆｏ３の形状は、長方形に限らず、例えば、第２、第３下フラップＦｕ２、Ｆｕ３と同様の形状を用いても良い。
【０１３０】
　また、包装箱の材質は、段ボール紙に限らず、例えば、可撓性のあるプラスチックや厚紙などを用いても良い。
【図面の簡単な説明】
【０１３１】
【図１】第１実施例の包装箱の組立状態における斜視図である。
【図２】同包装箱の展開状態における平面図である。
【図３】同包装箱の底部の作成手順を説明する説明図である。
【図４】同包装箱の上蓋部の封緘及び開封手順を説明する説明図である。
【図５】同包装箱の上蓋部の構成を説明する説明図である。
【図６】第２実施例の包装箱の組立状態における斜視図である。
【図７】同包装箱の展開状態における平面図である。
【図８】同包装箱の上蓋部の封緘及び開封手順を説明する説明図である。
【図９】同包装箱の底部の作成及び解体手順を説明する説明図である。
【図１０】第４実施例の包装箱の組立状態における斜視図である。
【図１１】同包装箱の展開状態における平面図である。
【図１２】同包装箱の上蓋部の構成を説明する説明図である。
【図１３】同包装箱の底部の作成手順を説明する説明図である。
【符号の説明】
【０１３２】
　１、２、３…包装箱、１０、１２…上蓋部、１１、１３…底部、Ｓ１〜Ｓ４、Ｓ５〜Ｓ８…第１〜第４側壁部、Ｌｏ１〜Ｌｏ４、Ｌｏ５〜Ｌｏ８…第１〜第４側壁部の上辺、Ｌｕ１〜Ｌｕ４、Ｌｕ５〜Ｌｕ８…第１〜第４側壁部の下辺、Ｆｏ１〜Ｆｏ４、Ｆｏ５〜Ｆｏ８…第１〜第４上フラップ、Ｆｕ１〜Ｆｕ４、Ｆｕ５〜Ｆｕ８…第１〜第４下フラップ、２１…指掛け穴、２２…切り込み部、２３…第１上フラップにて第４上フラップと重なる部分の一部、２４…第４上フラップにて第１上フラップと重なる部分、５１、５３…第２上フラップの角部、５２、５４…第４上フラップの角部、５５、５６…第２、第４下フラップの第１部分、５７、５８…第２、第４下フラップの第２部分、５９〜６２…第１、第３下フラップにて第１部分と重なる部分、Ｌ１〜Ｌ４、Ｌ５〜Ｌ８…第１〜第４下フラップの辺、Ｌ９、Ｌ１０…第４上フラップの辺、Ｔ１〜Ｔ５…折目、ＳＬ１〜ＳＬ４…第１〜第４スリット
【図１】
0003100554.tif 000003
【図２】
0003100554.tif 000004
【図３】
0003100554.tif 000005
【図４】
0003100554.tif 000006
【図５】
0003100554.tif 000007
【図６】
0003100554.tif 000008
【図７】
0003100554.tif 000009
【図８】
0003100554.tif 000010
【図９】
0003100554.tif 000011
【図１０】
0003100554.tif 000012
【図１１】
0003100554.tif 000013
【図１２】
0003100554.tif 000014
【図１３】
0003100554.tif 000015